【手続補正書】
【提出日】平成29年2月23日(2017.2.23)
【手続補正１】
【補正対象書類名】特許請求の範囲
【補正対象項目名】全文
【補正方法】変更
【補正の内容】
【特許請求の範囲】
【請求項１】
照射された放射線の線量に応じた電荷を発生して、発生した電荷を蓄積するセンサ部を各々備えた複数の画素を含む放射線検出器と、
放射線の照射開始を検出する放射線センサ部とした前記センサ部で発生した電荷に起因した電気信号が所定の照射検出用条件を満たす場合、及び前記センサ部と異なる放射線の照射開始を検出する放射線センサ部で発生した電荷に起因した電気信号が所定の照射検出用条件を満たす場合、の少なくとも一方の場合を放射線の照射開始として検出する、検出動作を行う検出部と、
前記検出部が前記放射線の照射開始を検出した後、前記センサ部における電荷の蓄積が完了するまでの時間に応じて予め定められた所定時間が経過するまで、放射線の照射開始を検出する放射線センサ部、衝撃センサ、及び電磁波センサのいずれか１つから出力された電気信号の変化に基づいて、ノイズが発生したか否か判断し、前記ノイズが発生した場合は、前記検出動作を停止している前記検出部に再び前記検出動作を行わせる制御を行う制御部と、
を備えた放射線画像撮影装置。
【請求項２】
前記制御部は、前記ノイズが発生したと判断した場合は、前記センサ部をリセットした後、前記検出部に再び前記検出動作を行わせる制御を行う、
請求項１に記載の放射線画像撮影装置。
【請求項３】
前記制御部は、前記ノイズが発生したと判断した場合は、前記センサ部における電荷の蓄積を中止させることにより、前記センサ部における電荷の蓄積を終了させる制御を行う、
請求項１または請求項２に記載の放射線画像撮影装置。
【請求項４】
前記検出部で放射線の照射開始を検出した後、前記センサ部に電荷の蓄積を開始させる前に、前記制御部は、ノイズが発生したか否かを判断し、前記ノイズが発生していない場合は、前記センサ部に電荷の蓄積を開始させる、
請求項１から請求項３のいずれか１項に記載の放射線画像撮影装置。
【請求項５】
前記複数の画素は、前記センサ部から前記電荷を読み出して前記電荷に応じた電気信号を信号線に出力するスイッチング素子を各々備え、また、前記複数の画素のうちの一部の画素は、前記スイッチング素子が短絡した短絡画素であり、
前記制御部は、前記短絡画素の前記センサ部から出力された電気信号の変化に基づいて、前記ノイズが発生したか否か判断する、
請求項１から請求項４のいずれか１項に記載の放射線画像撮影装置。
【請求項６】
前記センサ部にバイアス電圧を供給する共通電極配線を備え、
前記制御部は、当該センサ部から出力され、前記共通電極配線を流れる電気信号の変化に基づいて、前記ノイズが発生したか否か判断する、
請求項１から請求項５のいずれか１項に記載の放射線画像撮影装置。
【請求項７】
前記電気信号は、前記複数の画素のうちから選択された画素におけるリーク電流である、
請求項１から請求項５のいずれか１項に記載の放射線画像撮影装置。
【請求項８】
前記放射線センサ部は、前記放射線検出器の内部または外部の少なくとも一方に設けられており、
前記制御部は、当該放射線センサ部から出力された電気信号の変化に基づいて、前記ノイズが発生したか否か判断する、
請求項１から請求項７のいずれか１項に記載の放射線画像撮影装置。
【請求項９】
前記放射線センサ部には、電磁シールドが施されている、
請求項８に記載の放射線画像撮影装置。
【請求項１０】
前記放射線センサ部を複数備え、
前記放射線検出器における放射線の入射面の中央部と周辺部とで、前記放射線センサ部の配置密度が異なる、
請求項８に記載の放射線画像撮影装置。
【請求項１１】
前記制御部は、電気信号に応じた電荷の極性及び電荷量の時間変化を表す波形の振幅の少なくとも一方の変化に基づいて、前記ノイズが発生したか否かを判断する、
請求項１から請求項１０のいずれか１項に記載の放射線画像撮影装置。
【請求項１２】
前記検出部が放射線の照射開始を検出するための電気信号と、前記制御部が前記ノイズが発生したか否かを判断するための電気信号とは、種類が異なる電気信号である、
請求項１から請求項１１のいずれか１項に記載の放射線画像撮影装置。
【請求項１３】
前記制御部は、前記画素が設けられた所定の領域毎に予め定められた基準、及び前記センサ部から読み出された電荷が出力される信号線毎に予め定められた基準の少なくとも一方により、前記ノイズが発生したか否かを判断する、
請求項１から請求項１２のいずれか１項に記載の放射線画像撮影装置。
【請求項１４】
前記複数の画素は、前記センサ部から前記電荷を読み出して前記電荷に応じた電気信号を信号線に出力するスイッチング素子を各々備え、また、前記複数の画素のうちの一部の画素は、前記スイッチング素子が短絡した短絡画素であり、
前記検出部は、前記短絡画素の前記センサ部から出力された電気信号が、所定の照射検出用条件を満たす場合を放射線の照射開始として検出する、
請求項１から請求項１３のいずれか１項に記載の放射線画像撮影装置。
【請求項１５】
前記センサ部にバイアス電圧を供給する共通電極配線を備え、
前記検出部は、前記センサ部から出力され、前記共通電極配線を流れる電気信号が、所定の照射検出用条件を満たす場合を放射線の照射開始として検出する、
請求項１から請求項１４のいずれか１項に記載の放射線画像撮影装置。
【請求項１６】
前記放射線センサ部は、前記放射線検出器の内部または外部の少なくとも一方に設けられており、
前記検出部は、当該放射線センサ部でから出力された電気信号が、所定の照射検出用条件を満たす場合を放射線の照射開始として検出する、
請求項１から請求項１５のいずれか１項に記載の放射線画像撮影装置。
【請求項１７】
前記制御部は、ノイズが発生した場合は、報知部に報知させる制御を行う、
請求項１から請求項１６のいずれか１項に記載の放射線画像撮影装置。
【請求項１８】
前記電気信号は、電流、及び電圧の少なくとも一方である、
請求項１から請求項１７のいずれか１項に記載の放射線画像撮影装置。
【請求項１９】
前記検出動作は、電気信号をサンプリングする動作である、
請求項１から請求項１８のいずれか１項に記載の放射線画像撮影装置。
【請求項２０】
照射された放射線の線量に応じた電荷を発生して、発生した電荷を蓄積するセンサ部を各々備えた複数の画素を含む放射線検出器と、
放射線の照射開始を検出する放射線センサ部とした前記センサ部で発生した電荷に起因した電気信号が所定の照射検出用条件を満たす場合、及び前記センサ部と異なる放射線の照射開始を検出する放射線センサ部で発生した電荷に起因した電気信号が所定の照射検出用条件を満たす場合、の少なくとも一方の場合を放射線の照射開始として検出する、検出動作を行う検出部と、
前記検出部が、前記放射線の照射開始を検出した後、前記センサ部における電荷の蓄積が完了するまでの時間に応じて予め定められた所定時間が経過するまで、放射線の照射開始を検出する放射線センサ部、衝撃センサ、及び電磁波センサのうちから選択された複数のセンサの各々から出力された電気信号の変化に基づいて、ノイズが発生したか否か判断し、前記ノイズが発生した場合は、前記検出動作を停止している前記検出部に再び前記検出動作を行わせる制御を行う制御部と、
を備えた放射線画像撮影装置。
【請求項２１】
放射線を照射する照射装置と、
前記照射装置から照射された放射線に応じた放射線画像を撮影する、請求項１から請求項２０のいずれか１項に記載の放射線画像撮影装置と、
を備えた放射線画像撮影システム。
【請求項２２】
照射された放射線の線量に応じた電荷を発生して、発生した電荷を蓄積するセンサ部を各々備えた複数の画素を含む放射線検出器を備えた放射線画像撮影装置の制御プログラムであって、
放射線の照射開始を検出する放射線センサ部とした前記センサ部で発生した電荷に起因した電気信号が所定の照射検出用条件を満たす場合、及び前記センサ部と異なる放射線の照射開始を検出する放射線センサ部で発生した電荷に起因した電気信号が所定の照射検出用条件を満たす場合、の少なくとも一方の場合を放射線の照射開始として検出する、検出動作を行う検出部と、
前記検出部が前記放射線の照射開始を検出した後、前記センサ部における電荷の蓄積が完了するまでの時間に応じて予め定められた所定時間が経過するまで、放射線の照射開始を検出する放射線センサ部、衝撃センサ、及び電磁波センサのいずれか１つから出力された電気信号の変化に基づいて、ノイズが発生したか否か判断し、前記ノイズが発生した場合は、前記検出動作を停止している前記検出部に再び前記検出動作を行わせる制御を行う制御部と、
してコンピュータを機能させるための放射線画像撮影装置の制御プログラム。
【請求項２３】
照射された放射線の線量に応じた電荷を発生して、発生した電荷を蓄積するセンサ部を各々備えた複数の画素を含む放射線検出器を備えた放射線画像撮影装置の制御方法であって、
検出部により、放射線の照射開始を検出する放射線センサ部とした前記センサ部で発生した電荷に起因した電気信号が所定の照射検出用条件を満たす場合、及び前記センサ部と異なる放射線の照射開始を検出する放射線センサ部で発生した電荷に起因した電気信号が所定の照射検出用条件を満たす場合、の少なくとも一方の場合を放射線の照射開始として検出する、検出動作を行う検出工程と、
制御部により、前記検出が前記放射線の照射開始を検出した後、前記センサ部における電荷の蓄積が完了するまでの時間に応じて予め定められた所定時間が経過するまで、放射線の照射開始を検出する放射線センサ部、衝撃センサ、及び電磁波センサのいずれか１つから出力された電気信号の変化に基づいて、ノイズが発生したか否か判断し、前記ノイズが発生した場合は、前記検出動作を停止している前記検出部に再び前記検出動作を行わせる制御を行う制御工程と、
を備えた放射線画像撮影装置の制御方法。
【手続補正２】
【補正対象書類名】明細書
【補正対象項目名】発明の名称
【補正方法】変更
【補正の内容】
【発明の名称】放射線画像撮影装置、放射線画像撮影システム、放射線画像撮影装置の制御プログラム、及び放射線画像撮影装置の制御方法
【手続補正３】
【補正対象書類名】明細書
【補正対象項目名】０００１
【補正方法】変更
【補正の内容】
【０００１】
本発明は、放射線画像撮影装置、放射線画像撮影システム、放射線画像撮影装置の制御プログラム、及び放射線画像撮影装置の制御方法に係り、特に医療用の放射線画像を撮影する放射線画像撮影装置、放射線画像撮影システム、放射線画像撮影装置の制御プログラム、及び放射線画像撮影装置の制御方法に関する。
【手続補正４】
【補正対象書類名】明細書
【補正対象項目名】０００９
【補正方法】変更
【補正の内容】
【０００９】
本発明は、上記問題点を解決するために成されたものであり、外乱要因に起因したノイズが発生した場合に、時間を要さずにノイズの発生を検出して撮影動作を制御することができる、放射線画像撮影装置、放射線画像撮影システム、放射線画像撮影装置の制御プログラム、及び放射線画像撮影装置の制御方法を提供することを目的とする。
【手続補正５】
【補正対象書類名】明細書
【補正対象項目名】００１０
【補正方法】変更
【補正の内容】
【００１０】
上記目的を達成するために、本発明の放射線画像撮影装置は、照射された放射線の線量に応じた電荷を発生して、発生した電荷を蓄積するセンサ部を各々備えた複数の画素を含む放射線検出器と、放射線の照射開始を検出する放射線センサ部としたセンサ部で発生した電荷に起因した電気信号が所定の照射検出用条件を満たす場合、及びセンサ部と異なる放射線の照射開始を検出する放射線センサ部で発生した電荷に起因した電気信号が所定の照射検出用条件を満たす場合、の少なくとも一方の場合を放射線の照射開始として検出する、検出動作を行う検出部と、検出部が放射線の照射開始を検出した後、センサ部における電荷の蓄積が完了するまでの時間に応じて予め定められた所定時間が経過するまで、放射線の照射開始を検出する放射線センサ部、衝撃センサ、及び電磁波センサのいずれか１つから出力された電気信号の変化に基づいて、ノイズが発生したか否か判断し、ノイズが発生した場合は、検出動作を停止している検出部に再び検出動作を行わせる制御を行う制御部と、を備える。
【手続補正６】
【補正対象書類名】明細書
【補正対象項目名】００１１
【補正方法】変更
【補正の内容】
【００１１】
本発明の放射線画像撮影装置の制御部は、ノイズが発生したと判断した場合は、センサ部をリセットした後、検出部に再び検出動作を行わせる制御を行ってもよい。
【手続補正７】
【補正対象書類名】明細書
【補正対象項目名】００１２
【補正方法】変更
【補正の内容】
【００１２】
本発明の放射線画像撮影装置の制御部は、ノイズが発生したと判断した場合は、センサ部における電荷の蓄積を中止させることにより、センサ部における電荷の蓄積を終了させる制御を行ってもよい。
【手続補正８】
【補正対象書類名】明細書
【補正対象項目名】００１３
【補正方法】変更
【補正の内容】
【００１３】
本発明の放射線画像撮影装置は、検出部で放射線の照射開始を検出した後、センサ部に電荷の蓄積を開始させる前に、制御部は、ノイズが発生したか否かを判断し、ノイズが発生していない場合は、センサ部に電荷の蓄積を開始させてもよい。
【手続補正９】
【補正対象書類名】明細書
【補正対象項目名】００１４
【補正方法】変更
【補正の内容】
【００１４】
本発明の放射線画像撮影装置の複数の画素は、センサ部から電荷を読み出して電荷に応じた電気信号を信号線に出力するスイッチング素子を各々備え、また、複数の画素のうちの一部の画素は、スイッチング素子が短絡した短絡画素であり、制御部は、短絡画素のセンサ部から出力された電気信号の変化に基づいて、ノイズが発生したか否か判断してもよい。
【手続補正１０】
【補正対象書類名】明細書
【補正対象項目名】００１５
【補正方法】変更
【補正の内容】
【００１５】
本発明の放射線画像撮影装置は、センサ部にバイアス電圧を供給する共通電極配線を備え、制御部は、センサ部から出力され、共通電極配線を流れる電気信号の変化に基づいて、ノイズが発生したか否か判断してもよい。
本発明の放射線画像撮影装置の電気信号は、前数の画素のうちから選択された画素におけるリーク電流であってもよい。
【手続補正１１】
【補正対象書類名】明細書
【補正対象項目名】００１６
【補正方法】変更
【補正の内容】
【００１６】
本発明の放射線画像撮影装置の放射線センサ部は、放射線検出器の内部または外部の少なくとも一方に設けられており、制御部は、放射線センサ部から出力された電気信号の変化に基づいて、ノイズが発生したか否か判断してもよい。
本発明の放射線画像撮影装置の放射線センサ部には、電磁シールドが施されていてもよい。
本発明の放射線画像撮影装置は、放射線センサ部を複数備え、放射線検出器における放射線の入射面の中央部と周辺部とで、放射線センサ部の配置密度が異なっていてもよい。
【手続補正１２】
【補正対象書類名】明細書
【補正対象項目名】００１７
【補正方法】変更
【補正の内容】
【００１７】
本発明の放射線画像撮影装置の制御部は、電気信号に応じた電荷の極性及び電荷量の時間変化を表す波形の振幅の少なくとも一方の変化に基づいて、ノイズが発生したか否かを判断してもよい。
【手続補正１３】
【補正対象書類名】明細書
【補正対象項目名】００１８
【補正方法】変更
【補正の内容】
【００１８】
本発明の放射線画像撮影装置は、検出部が放射線の照射開始を検出するための電気信号と、制御部がノイズが発生したか否かを判断するための電気信号とは、種類が異なる電気信号であってもよい。
本発明の放射線画像撮影装置の制御部は、画素が設けられた所定の領域毎に予め定められた基準、及びセンサ部から読み出された電荷が出力される信号線毎に予め定められた基準の少なくとも一方により、ノイズが発生したか否かを判断してもよい。
本発明の放射線画像撮影装置の複数の画素は、センサ部から電荷を読み出して電荷に応じた電気信号を信号線に出力するスイッチング素子を各々備え、また、複数の画素のうちの一部の画素は、スイッチング素子が短絡した短絡画素であり、検出部は、短絡画素のセンサ部から出力された電気信号が、所定の照射検出用条件を満たす場合を放射線の照射開始として検出してもよい。
本発明の放射線画像撮影装置は、センサ部にバイアス電圧を供給する共通電極配線を備え、検出部は、センサ部から出力され、共通電極配線を流れる電気信号が、所定の照射検出用条件を満たす場合を放射線の照射開始として検出してもよい。
本発明の放射線画像撮影装置の放射線センサ部は、放射線検出器の内部または外部の少なくとも一方に設けられており、検出部は、放射線センサ部でから出力された電気信号が、所定の照射検出用条件を満たす場合を放射線の照射開始として検出してもよい。
本発明の放射線画像撮影装置の制御部は、ノイズが発生した場合は、報知部に報知させる制御を行ってもよい。
本発明の放射線画像撮影装置における電気信号は、電流、及び電圧の少なくとも一方であってもよい。
本発明の放射線画像撮影装置の検出動作は、電気信号をサンプリングする動作であってもよい。
【手続補正１４】
【補正対象書類名】明細書
【補正対象項目名】００１９
【補正方法】変更
【補正の内容】
【００１９】
本発明の放射線画像撮影装置は、照射された放射線の線量に応じた電荷を発生して、発生した電荷を蓄積するセンサ部を各々備えた複数の画素を含む放射線検出器と、放射線の照射開始を検出する放射線センサ部としたセンサ部で発生した電荷に起因した電気信号が所定の照射検出用条件を満たす場合、及びセンサ部と異なる放射線の照射開始を検出する放射線センサ部で発生した電荷に起因した電気信号が所定の照射検出用条件を満たす場合、の少なくとも一方の場合を放射線の照射開始として検出する、検出動作を行う検出部と、検出部が、放射線の照射開始を検出した後、センサ部における電荷の蓄積が完了するまでの時間に応じて予め定められた所定時間が経過するまで、放射線の照射開始を検出する放射線センサ部、衝撃センサ、及び電磁波センサのうちから選択された複数のセンサの各々から出力された電気信号の変化に基づいて、ノイズが発生したか否か判断し、ノイズが発生した場合は、検出動作を停止している検出部に再び検出動作を行わせる制御を行う制御部と、を備える。
【手続補正１５】
【補正対象書類名】明細書
【補正対象項目名】００２０
【補正方法】変更
【補正の内容】
【００２０】
本発明の放射線画像撮影システムは、放射線を照射する照射装置と、照射装置から照射された放射線に応じた放射線画像を撮影する、本発明の放射線画像撮影装置と、を備える。
【手続補正１６】
【補正対象書類名】明細書
【補正対象項目名】００２１
【補正方法】変更
【補正の内容】
【００２１】
本発明の放射線画像撮影装置の制御プログラムは、照射された放射線の線量に応じた電荷を発生して、発生した電荷を蓄積するセンサ部を各々備えた複数の画素を含む放射線検出器を備えた放射線画像撮影装置の制御プログラムであって、放射線の照射開始を検出する放射線センサ部としたセンサ部で発生した電荷に起因した電気信号が所定の照射検出用条件を満たす場合、及びセンサ部と異なる放射線の照射開始を検出する放射線センサ部で発生した電荷に起因した電気信号が所定の照射検出用条件を満たす場合、の少なくとも一方の場合を放射線の照射開始として検出する、検出動作を行う検出部と、検出部が放射線の照射開始を検出した後、センサ部における電荷の蓄積が完了するまでの時間に応じて予め定められた所定時間が経過するまで、放射線の照射開始を検出する放射線センサ部、衝撃センサ、及び電磁波センサのいずれか１つから出力された電気信号の変化に基づいて、ノイズが発生したか否か判断し、ノイズが発生した場合は、検出動作を停止している検出部に再び検出動作を行わせる制御を行う制御部と、してコンピュータを機能させるためのものである。
【手続補正１７】
【補正対象書類名】明細書
【補正対象項目名】００２２
【補正方法】変更
【補正の内容】
【００２２】
本発明の放射線画像撮影装置の制御方法は、照射された放射線の線量に応じた電荷を発生して、発生した電荷を蓄積するセンサ部を各々備えた複数の画素を含む放射線検出器を備えた放射線画像撮影装置の制御方法であって、検出部により、放射線の照射開始を検出する放射線センサ部としたセンサ部で発生した電荷に起因した電気信号が所定の照射検出用条件を満たす場合、及びセンサ部と異なる放射線の照射開始を検出する放射線センサ部で発生した電荷に起因した電気信号が所定の照射検出用条件を満たす場合、の少なくとも一方の場合を放射線の照射開始として検出する、検出動作を行う検出工程と、制御部により、検出が放射線の照射開始を検出した後、センサ部における電荷の蓄積が完了するまでの時間に応じて予め定められた所定時間が経過するまで、放射線の照射開始を検出する放射線センサ部、衝撃センサ、及び電磁波センサのいずれか１つから出力された電気信号の変化に基づいて、ノイズが発生したか否か判断し、ノイズが発生した場合は、検出動作を停止している検出部に再び検出動作を行わせる制御を行う制御工程と、を備える。